(57)【要約】【課題】詰まった原稿を除去するため、原稿を案内するパスを開いたとき、スタンプが不用意に突出しないようにする。【解決手段】自動原稿供給装置におけるスタンプユニット６２は、プランジャ４０ａによって反転パス４７内にスタンプ４０を突出させて、反転パス内の原稿に読取済みの印を押すようになっている。開閉フレームによって排出パス４５を開くと、浮き防止ばね４２がプラテンガイド４１を反転パス４７から遠ざける方向に移動させる。すると、プラテンガイド４１は、スピンドル４０ｂの鍔４０ｃの移動を規制する位置に移動する。この結果、開閉フレームを開いたときの慣性や振動によって、スタンプ４０が反転パス４７内に突出しようとしても、それをプラテンガイド４１によって、阻止される。【選択図】図９
2010011399.tif 000002
【特許請求の範囲】
【請求項１】
原稿読取部に原稿を給送案内する給送パスと、
前記原稿読取部を通過した原稿を排出案内する排出パスと
前記排出パスの下流側から前記給送パスへ原稿を案内して表裏反転する反転パスと、
前記給送パスと前記反転パスとを有して前記排出パスを開閉可能に、本体フレームに設けられた開閉フレームと、
プランジャによって前記反転パス内にスタンプを突出させて、前記反転パス内の原稿に読取済みの印を押す、前記開閉フレームに設けられたスタンプユニットと、を備えた自動原稿供給装置において、
前記開閉フレームによって前記排出パスを開いたとき、前記スタンプが前記反転パス内に突出するのを阻止する突出防止手段を備えた、
ことを特徴とする自動原稿供給装置。
【請求項２】
前記突出防止手段は、前記スタンプを前記反転パスから引っ込める方向に付勢するばねを有している、
ことを特徴とする請求項１に記載の自動原稿供給装置。
【請求項３】
前記突出防止手段は、前記開閉フレームに移動自在に設けられた移動部材と、前記移動部材を前記反転パスから遠ざける方向に付勢するばねと、を備え、
前記移動部材は、前記開閉フレームを開いたとき、前記ばねによって前記スタンプの移動を規制する位置に移動可能であり、前記開閉フレームを閉じたとき、固定部材に当接して前記規制を解除する位置に前記ばねに抗して移動可能である、
ことを特徴とする請求項１に記載の自動原稿供給装置。
【請求項４】
前記突出防止手段は、前記開閉フレームに設けられて、前記スタンプユニットを支持してスタンプ可能な位置とスタンプ不可能な位置とに移動させることが可能な移動部材と、前記移動部材と前記開閉フレームとの間に設けられて前記移動部材を前記反転パスから遠ざける方向に付勢するばねと、を備え、
前記移動部材は、前記開閉フレームを閉じたとき、前記固定部材に当接して前記スタンプユニットをスタンプ可能な位置に前記ばねに抗して移動させ、前記開閉フレームを開いたとき、前記固定部材との当接が解除されて前記ばねによって前記スタンプユニットをスタンプ不可能な位置に移動させることが可能である、
ことを特徴とする請求項１に記載の自動原稿供給装置。
【請求項５】
前記移動部材は、前記開閉フレームが閉じられているとき前記原稿を前記原稿読取部に付勢する原稿押さえ部材である、
ことを特徴とする請求項３又は４のいずれか１項に記載の自動原稿供給装置。
【請求項６】
前記開閉フレームは、前記給送パスを開閉可能に、前記給送パスから外側を形成する第１のフレームと、前記給送パスと前記排出パスとの間を形成する第２のフレームに分割されており、
前記スタンプユニットと前記突出防止手段は、前記第２のフレームに設けられている、
ことを特徴とする請求項１乃至５のいずれか１項に記載の自動原稿供給装置。
【請求項７】
原稿を読み取る画像読取装置と、
前記画像読取装置に原稿を自動的に供給する自動原稿供給装置と、
前記画像読取装置の画像読取情報に基づいてシートに画像を形成する画像形成部と、を備え、
前記自動原稿供給装置が、請求項１乃至６のいずれか１項に記載の自動原稿供給装置である、
ことを特徴とする画像形成装置。
【発明の詳細な説明】
【技術分野】
【０００１】
本発明は、原稿を読み取る画像読取装置に原稿を自動的に供給する自動原稿供給装置、詳しくは、画像読取装置が読み取りを終了した原稿に読取済みの捺印をする自動原稿供給装置と、この自動原稿供給装置を装置本体に備えた画像形成装置とに関する。
【背景技術】
【０００２】
この種の自動原稿供給装置としては、特許文献１に記載のものがある。この自動原稿供給装置は、原稿を載置する原稿載置台と、この原稿載置台に載置された上の原稿から順次１枚ずつ分離して給紙する分離給紙部と、この分離給紙部からの原稿を反転して前記原稿載置台の下方に設けられた読取位置に導く第１の搬送路とを備えている。さらに、この自動原稿供給装置は、読取位置から原稿排紙口へ原稿を導く排紙路と、原稿載置台の下方で、排紙路の延長線上に設けられた原稿反転台と、原稿反転台の下方に設けられた原稿排紙台を備えている。また、自動原稿供給装置は、排紙路と原稿排紙口を連通する切換位置及び原稿反転台と排紙路を連通する切換位置に切換可能な切換爪を供えている。そして、自動原稿供給装置は、切換爪に対して原稿の搬送方向上流側で正逆回転可能に設けられ、原稿を導いたときに原稿の後端を挟持した状態で逆回転することにより、原稿を原稿反転台から第２の搬送路にスイッチバックさせる排紙ローラ対と、を備えている。
【０００３】
この自動原稿供給装置は、原稿をスイッチバック搬送して再度読取位置に反転して返送することができるため、原稿の搬送路を短くして両面の原稿の読取を行えるにも係わらず、小型にすることができる。
【０００４】
【特許文献１】特開平１０−１６１３６１号公報
【発明の開示】
【発明が解決しようとする課題】
【０００５】
この従来の自動原稿供給装置は、原稿読取後の搬送ローラ対と排紙ローラ対間の搬送路上に、原稿に読取済みの捺印をするスタンプユニットを配置してある。しかし、設計の都合上、第２の搬送路に設ける場合がある。そのような場合、次のような不都合が生じる。
【０００６】
すなわち、原稿は、第１の搬送路、排紙路及び第２の搬送路に詰まることがある。このため、第１の搬送路、排紙路及び第２の搬送路を開放して、詰まった原稿を取り除くようにしておくと都合がよい。そこで、第１の搬送路から外側の部分と、第１搬送路と第２搬送路との間の部分と、第２搬送路と排紙路との間の部分をそれぞれ分割して、開閉自在にする必要がある。
【０００７】
一方、スタンプユニットは、原稿に読取済みの印を捺印するのに（スタンプを押すのに）、プランジャを使用されることが多く、自動原稿供給装置を正常に使用しているときには、スタンプは、不用意に第２の搬送路に突出することがない。
【０００８】
しかし、排紙路に詰まった原稿を除去するため、上記分割した各部分を回転させて排紙路を開放したとき、スタンプが不用意に第２の搬送路内に突出して、第２の搬送路に原稿がある場合、その原稿に不必要なスタンプを押すことがある。あるいは、第２の搬送路における反対側の内壁をスタンプが汚すことがある。
【０００９】
本発明は、詰まった原稿を除去するため、原稿を案内するパスを開いたとき、スタンプが不用意に突出しないようにした自動原稿供給装置と、この自動原稿供給装置を備えた画像形成装置とを提供することにある。
【課題を解決するための手段】
【００１０】
本発明の自動原稿供給装置は、原稿読取部に原稿を給送案内する給送パスと、前記原稿読取部を通過した原稿を排出案内する排出パスと、前記排出パスの下流側から前記給送パスへ原稿を案内して表裏反転する反転パスと、前記給送パスと前記反転パスとを有して前記排出パスを開閉可能に、本体フレームに設けられた開閉フレームと、プランジャによって前記反転パス内にスタンプを突出させて、前記反転パス内の原稿に読取済みの印を押す、前記開閉フレームに設けられたスタンプユニットと、を備えた自動原稿供給装置において、前記開閉フレームによって前記排出パスを開いたとき、前記スタンプが前記反転パス内に突出するのを阻止する突出防止手段を備えた、ことを特徴としている。
【００１１】
本発明の画像形成装置は、原稿を読み取る画像読取装置と、前記画像読取装置に原稿を自動的に供給する自動原稿供給装置と、前記画像読取装置の画像読取情報に基づいてシートに画像を形成する画像形成部と、を備え、前記自動原稿供給装置が、上記の自動原稿供給装置である、ことを特徴としている。
【発明の効果】
【００１２】
本発明の自動原稿供給装置は、排出パスに詰まった原稿を取り除くため、開閉フレームを開いたとき、突出防止手段によってスタンプが反転パス内に突出するのを阻止できるので、反転パスにある原稿に不必要なスタンプを押すことを防止することができる。
【００１３】
本発明は、原稿に不必要なスタンプを押すことのない自動原稿供給装置を備えているので、読み損なう原稿がなく、原稿を確実に読み取ることができる。
【発明を実施するための最良の形態】
【００１４】
以下、本発明の実施形態の自動原稿供給装置と、この自動原稿供給装置を装置本体に備えた画像形成装置である例えばコピー機とを図に基づいて説明する。
【００１５】
（画像形成装置）
図７は、本発明の実施形態の画像形成装置である例えばコピー機のシート搬送方向に沿った断面図である。なお、画像形成装置には、コピー機、ファクシミリ、プリンタ、及びこれらの複合機等があり、本発明の画像形成装置は、コピー機に限定されるものではない。
【００１６】
画像形成装置１００は、装置本体１０１の上部に原稿を読み取る画像読取装置１０２を備えている。画像読取装置１０２は、自動原稿供給装置５９によって読取ガラス５０（図１）に自動的に送り込まれた原稿Ｄを読み取るようになっている。画像読取装置１０２は、公知であるので構造の説明は、省略する。
【００１７】
画像形成装置１００の装置本体１０１は、画像読取装置１０２からの画像読取情報、あるいは外部からの画像情報に基づいて、シートＰに画像を形成するようになっている。カセット１１１，１１２から給送ローラ１１３，１１４によって給送されたシートＰは、レジストローラ対１１５によって一旦受け止められて、斜行を補正されてから感光体ドラム１１６と転写器１１７との間に送り込まれる。
【００１８】
感光体ドラム１１６には、画像情報に基づいて潜像を形成されて、その潜像が現像器１１８によってトナー現像されることによって、トナー画像が予め形成されている。感光体ドラム１１６と転写器１１７との間に送り込まれたシートは、転写器１１７によって、トナー画像を感光体ドラム１１６から転写されて、定着器１１９に送り込まれる。シートは定着器１１９で加熱加圧されてトナー画像を定着される。両面にトナー画像を形成されるシートは、シート反転パス１２０を搬送されて、表裏反転された後、再度、感光体ドラム１１６と転写器１１７との間に送り込まれる。そして、他方の面にトナー画像を転写、定着される。片面、或いは両面にトナー画像を形成されたシートは、排出ローラ対１２１によって排出トレイ１２３に排出される。
【００１９】
以上の構成において、感光体ドラム１１６と現像器１１８等は、画像形成部１２２を構成している。
【００２０】
（自動原稿供給装置）
図１は、本発明の実施形態における、自動原稿供給装置の原稿搬送方向に沿った断面図である。
【００２１】
図７において、画像形成装置１００の装置本体１０１の上部には、原稿を読み取る画像読取装置１０２が載置されている。画像読取装置１０２の上部には、画像読取装置１０２に原稿を自動的に供給する自動原稿供給装置５９が載置されている。
【００２２】
図１において、自動原稿供給装置５９は、原稿Ｄがセットされる原稿トレイ２１と、原稿トレイ２１から画像読取装置１０２に原稿を搬送して原稿排紙トレイ２３に排出する搬送部２２と、原稿が排出されて積載される原稿排紙トレイ２３等を備えている。
【００２３】
給紙ローラ２４は、ユーザによって原稿トレイ２１上にセットされた原稿束の内、最上位の原稿を分離ローラ２５ａに搬送する。分離ローラ２５ａに対向する位置には分離部材２５ｂが設けられている。分離部材２５ｂは、不図示のばねによって分離ローラ２５ａに圧接されている。原稿束は、原稿と分離ローラ２５ａとの摩擦、原稿同士の摩擦、原稿と分離部材２５ｂとの摩擦により２枚以上重なって送られることなく、１枚ずつに分離されて、画像読取装置１０２へ送られる。
【００２４】
原稿は、第１の搬送駆動ローラ２６ａと第１の搬送従動ローラ２６ｂとに挟持されて給送パス４４内を給送案内され、給送パス４４に設置された不図示の読取検知センサにより先端を検知された後、画像読取装置１０２の原稿読取部３０まで一定速度で搬送される。そして原稿は、画像読取装置１０２の原稿読取部３０を通過させられながら、原稿読取部３０で光を照射させられて、公知の方法によって画像を読み取られる。
【００２５】
原稿は、原稿読取部３０で読み取られるとき、読取ガイド４３に案内されて搬送される。このとき、原稿は、浮き防止ばね４２によって画像読取装置の読取ガラス５０側に付勢された移動部材であり原稿押さえ部材である例えばプラテンガイド４１によって読取ガラス５０に、搬送に支障が生じない程度の押圧力で押圧されて搬送される。読取ガイド４３は、後述する第３の分割フレーム３に固定されている。プラテンガイド４１は、図１１に示すような、ガイド機構３９によって、第３の分割フレーム３に読取ガラス５０に対して接近離間できるように移動自在に設けられている。ガイド機構３９は、第３の分割フレーム３に形成された長孔３７と、プラテンガイド４１に立設されて長孔３７に係合する２つのガイドピン３８とで構成されている。なお、他の図に示すプラテンガイド４１も同様なガイド機構によって第３の分割フレーム３に設けられているが、そのガイド機構は図示省略する。浮き防止ばね４２は、読取ガイド４３とプラテンガイド４１との間に設けられている。
【００２６】
画像を読み取られた原稿は、掬い上げ部材３５によって読取ガラス５０から掬い上げられて第２の搬送駆動ローラ２７ａと第２の搬送従動ローラ２７ｂとに挟持され、排出パス４５を排出案内される。そして、原稿は、排紙駆動ローラ２８ａと排紙従動ローラ２８ｂとによって原稿排紙トレイ２３に排出される。掬い上げ部材３５は、読取ガラス５０の端に設けられている。
【００２７】
片面に画像を形成された原稿は、原稿読取部３０で画像を読み取られるとそのまま原稿排紙トレイ２３に排出される。しかし、両面に画像を形成された原稿は、もう片方の画像を読み取る必要があるため、再度、原稿読取部３０に搬送される必要がある。
【００２８】
このため、両面に画像を形成された原稿は、排出パス４５に設けられた検知センサ４６によって後端を検知された後、一定時間、下流側に搬送されてから、排紙ローラ対２８ａ，２８ｂによって逆送されて、反転パス４７に送り込まれる。検知センサ４６は、第２の搬送駆動ローラ２７ａと排紙駆動ローラ２８ａの間に設置されている。反転パス４７は、排出パス４５の下流側から給送パス４４へ原稿を案内して表裏反転するようになっている。第２の搬送ローラ対２７ａ，２７ｂと排紙ローラ対２８ａ，２８ｂとの間には、第２の搬送ローラから排紙ローラ対への原稿の搬送を許容し、排紙ローラ対２８ａ，２８ｂから反転パス４７への原稿搬送を案内する案内部材４８が設けられている。
【００２９】
原稿は、排出パス４５と反転パス４７を通過して給送パス４４に搬送される間にスイッチバック搬送されて表裏反転される。この間に、原稿は、後述するスタンプユニット６１によって、画像読取済みのスタンプを押される（印を押される）。片面にしか画像が形成されていない原稿は、原稿の後端が案内部材４８を通過した後、排紙ローラ対２８ａ，２８ｂの逆転によってスタンプユニット６１に送られて、画像読取済みのスタンプを押され、排紙ローラ対の正転によって原稿排紙トレイ２３に排出される。なお、画像読取済みのスタンプは、必ずしも押す必要がない。
【００３０】
原稿は、給送パス４４に案内され、第１の搬送ローラ対２６ａ，２６ｂの搬送によって原稿読取部３０に到達し原稿の２面目が読み取られる。そして、原稿は、排出パス４５を搬送されるが、原稿排紙トレイ２３に排出されたときページ順を揃えるため、再度、反転パス４７、給送パス４４、排出パス４５を搬送されて、原稿排紙トレイ２３に排出されて積載される。このとき、原稿読取部３０は、原稿の両面を既に読み取っているので画像を読み取らない。
【００３１】
次に、自動原稿供給装置５９は、給送パス４４、排出パス４５及び反転パス４７に原稿が詰まったとき、その原稿を除去できるように、各パス４４，４５，４７を開放できるようになっている。その構造を説明する。
【００３２】
図２において、給送パス４４を境にして外側を形成する第１のフレームである例えば第１の分割フレーム１は、原稿読取部側の本体フレーム５２に回転軸１１を中心に回転して、給送パス４４を開放するようになっている。給送パス４４と反転パス４７との間を形成する第２のフレームである例えば第２の分割フレーム２は、本体フレーム５２に設けられた回動支点１２を中心に回転して、反転パス４７を開放するようになっている。図３において、反転パス４７と排出パス４５との間を形成する第３の分割フレーム３は、第１の分割フレーム１を回転自在に支持する回転軸１１を中心に回転して、排出パス４５を開放するようになっている。
【００３３】
第１の分割フレーム１は、給紙ローラ２４、分離ローラ２５ａ及び第１の搬送従動ローラ２６ｂを備えている。第２の分割フレーム２は、分離部材２５ｂ及び排紙従動ローラ２８ｂを備えている。第３の分割フレーム３は、第１の搬送駆動ローラ２６ａ、プラテンガイド４１、浮き防止ばね４２、読取ガイド４３、スタンプユニット６１、第２の搬送従動ローラ２７ｂ及び案内部材４８を備えている。本体フレーム５２は、原稿トレイ２１、原稿排紙トレイ２３、第２の搬送従動ローラ２７ａ、検知センサ４６及び排紙駆動ローラ２８ａを備えている。
【００３４】
自動原稿供給装置５９内に原稿が詰まったとき、図５に示す第１の分割フレーム１の把持部７を上方に引くと、本体フレーム５２に係合している不図示のフックが外れて、第１の分割フレーム１を開くことができるようになる。その結果、図２に示すように、第１の分割フレーム１は回転軸１１を支点として回動する。第１の分割フレーム１をさらに引き上げると給紙ローラ２４及び分離ローラ２５ａが第２の分割フレーム２から離間する。また、第１の分割フレーム１の回動にともなって第１の分割フレーム１内に設置されている図示しない押圧部材が第１の搬送従動ローラ２６ｂから離間することで第１の搬送ローラの２６ａ，２６ｂのニップが解除される。これによって、給送パス４４に詰まった原稿を除去することができる。
【００３５】
さらに、第１の分割フレーム１を回動させると図２に示すリンク４が第２の分割フレーム２を引き上げる。このとき、第２の分割フレーム２は回動支点１２を中心に回動する。第２の分割フレーム２は、第３の分割フレーム３から離れて、反転パス４７を開放する。これによって、反転パス４７に詰まった原稿を除去することができる。また、第２の分割フレーム２は、本体フレーム３５からも離れて、排紙従動ローラ２８ｂを排紙駆動ローラ２８ａから離間させる。リンク４の一端は、軸３４によって第１の分割フレーム１に回転自在に設けられている。リンク４の他端には、長孔３３が形成され、長孔３３は、第２の分割フレーム２に突設された突軸３６に係合している。
【００３６】
なおも、第１の分割フレーム１を回動させると、リンク４の端部に設けられたフック部４ａが、第３の分割フレーム３の側部に一体に設けられた縦板５５に突設されたフック部５１（図４）に係合して、第３の分割フレームが回動支点１２を中心に回動する。
【００３７】
その結果、図３に示すように第２の搬送従動ローラ２７ｂが第２の搬送駆動ローラ２７ａから離間して、排出パス４５が開放されるので、排出パス４５に詰まった原稿を除去することができる。また、図６に示すように、プラテンガイド４１が読取ガラス５０から離間して、読取ガラス５０が開放されるので、読取ガラス５０の汚れを拭き取ることができる。
【００３８】
このようにして、ユーザは、第１の分割フレーム１の把持部７を持って回動させるだけで搬送ローラ、読取部すべての離間を行うことができるため自動原稿供給装置内に詰まった原稿を容易に除去することができる。
【００３９】
また、第１の分割フレーム１と第３の分割フレーム３とは、第１の回転軸１１を中心として同方向でかつ略垂直になるまで回動するため、図３、図６に示すように、読取ガラス５０の汚れを拭き取るのに十分な空間を確保することができる。
【００４０】
ところで、原稿は、以上説明したように、画像読取装置１０２に読み取られて、装置本体１０１で複写されるか、或いは読み取られた情報を装置本体１０１からＦＡＸ送信によって他のファックスに送信されるようになっている。このため、スタンプユニットは、画像読取装置による原稿の読み取り漏れを防ぐことを目的として設置され、読み取りが終わった原稿にスタンプを押してユーザが読取終了を確認できるようにしたものである。
【００４１】
一般に、スタンプユニットは、図８において、ばね７１を備えていないで、読取ガイド４３に設けた支持部材５３に支持されたプランジャ４０ａと、プランジャ４０ａのスピンドル４０ｂに設けられたスタンプ４０等で構成されている。このため、反転パス４７に原稿が詰まっているのに気が付かずに、第１乃至第３の分割フレーム１乃至３を開いたとき、スタンプ４０が、慣性や振動によって、反転パス４７内に突出して、原稿に不必要な読取済みの印を押すおそれがある。
【００４２】
そこで、自動原稿供給装置５９のスタンプユニット６１乃至６４は、第１乃至第３分割フレーム１乃至３によって排出パス４５を開いたとき、スタンプ４０が反転パス内に突出するのを阻止する突出防止手段である例えば突出防止機構６６乃至６９を備えている。
【００４３】
以下、各スタンプユニット６１乃至６４について説明する。各スタンプユニット６１乃至６４において、同一部分については同一符号を付して、２重説明をしないようにする。
【００４４】
（第１実施形態のスタンプユニット）
図８において、スタンプユニット６１は、読取ガイド４３に設けられた支持部材５３に支持されたプランジャ４０ａと、プランジャ４０ａのスピンドル４０ｂに設けられたスタンプ４０と、突出防止機構６６等で構成されている。圧縮ばね７１は、スピンドル４０ｂの鍔４０ｃと支持部材５３との間に設けられた突出防止機構６６である。
【００４５】
プラテンガイド４１（図８（Ａ））は、第１乃至第３の分割フレーム１乃至３によって読取ガラス５０が閉じられているとき、読取ガラス５０と原稿との間に搬送可能なクリアランスを保持できるよう浮き防止ばね４２によって読取ガラス５０側に押圧されている。
【００４６】
プランジャ４０ａがＯＮになると、スピンドル４０ｂが圧縮ばね７１に抗して反転パス４７側に移動して、スタンプ４０が実線の位置から破線の位置に移動し、反転パス４７内に突出して反転パス４７内にいる原稿に読取済みのスタンプを押す。プランジャ４０ａがＯＦＦになると、スピンドル４０ｂが自重と圧縮ばね７１の弾力とによって下降し、スタンプ４０は、反転パス４７から引っ込む。
【００４７】
図３に示すように、第１乃至第３の分割フレーム１乃至３を回動して、読取ガラス５０と排出パス４５とを開くと、スタンプユニット６１（図８（Ｂ））は、第３の分割フレーム３と一体に回動する。このとき、スタンプ４０が、第１乃至第３の分割フレーム１乃至３を開いたときの慣性や振動によって、反転パス４７内に突出しようとするが、圧縮ばね７１によって阻止される。第１乃至第３の分割フレーム１乃至３を回動させたとき、プランジャ４０には、電流が流れないようになっているので、スタンプ４０は、突出を圧縮ばね７１によって確実に阻止される。なお、第１乃至第３の分割フレーム１乃至３を回動させると、プラテンガイド４１は、読取ガラス５０から離れるので、浮き防止ばね４２に押されて読取ガイド４３から突出する。
【００４８】
したがって、スタンプユニット６１のスタンプ４０は、第１乃至第３の分割フレーム１乃至３を開いたとき、反転パス４７内に不用意に突出して、反転パス４７内の原稿に読取済みのスタンプを誤って押すようなことがない。また、スタンプ４０は、反転パス４７の反対側に接触して、反転パス４７内を汚すようなことがない。
【００４９】
また、突出防止機構６６は、圧縮ばね７１をスピンドル４０ｂに設けるだけで済むので、構成を簡単にすることができる。
【００５０】
（第２実施形態のスタンプユニット）
図９において、スタンプユニット６２も、読取ガイド４３に設けられた支持部材５３に支持されたプランジャ４０ａと、プランジャ４０ａのスピンドル４０ｂに設けられたスタンプ４０と、突出防止機構６７などで構成されている。突出防止機構６７は、プラテンガイド４１と浮き防止ばね４２を利用して構成されている。プラテンガイド４１の延長片４１ａが、スピンドル４０ｂを貫通させて、支持部材５３とスピンドル４０ｂの鍔４０ｃとの間に位置している。
【００５１】
プラテンガイド４１（図９（Ａ））は、第１乃至第３の分割フレーム１乃至３によって読取ガラス５０が閉じられているとき、読取ガラス５０と原稿との間に搬送可能なクリアランスを保持できるよう浮き防止ばね４２によって読取ガラス５０側に押圧されている。このとき、プラテンガイド４１の延長片４１ａは、鍔４０ｃから離れている。
【００５２】
プランジャ４０ａがＯＮになると、スピンドル４０ｂが反転パス４７側に移動して、スタンプ４０が実線の位置から破線の位置に移動し、反転パス４７内に突出して反転パス４７内にいる原稿に読取済みのスタンプを押す。プランジャ４０ａがＯＦＦになると、スピンドル４０ｂが自重によって下降し、スタンプ４０は、反転パス４７から引っ込む。なお、スタンプ４０の引っ込みを確実にするため、図８に示す圧縮ばね７１のような戻しばねを設けてあってもよい。
【００５３】
図３に示すように、第１乃至第３の分割フレーム１乃至３を回動して、読取ガラス５０と排出パス４５とを開くと、スタンプユニット６２（図９（Ｂ））は、第３の分割フレーム３と一体に回動する。このとき、スタンプ４０が、第１乃至第３の分割フレーム１乃至３を開いたときの慣性や振動によって、反転パス４７内に突出しようとする。しかし、第１乃至第３の分割フレーム１乃至３を回動させたとき、プラテンガイド４１が、読取ガラス５０から離れて、浮き防止ばね４２に押されて読取ガイド４３から突出した位置に移動している。このため、プラテンガイド４１の延長片４１ａは、スピンドル４０ｂの鍔４０ｃに当接しているか、或いは接近しており、延長片４１ａがスタンプ４０の突出を阻止する。
【００５４】
以上のように、プラテンガイド４１は、第１乃至第３の分割フレーム１乃至３を開いたとき、浮き防止ばね４２によってスタンプ４０の移動を規制する位置に移動可能になっている。そして、プラテンガイド４１は、第１乃至第３の分割フレーム１乃至３を閉じたとき、固定部材である読取ガラス５０に当接して規制を解除する位置に浮き防止ばね４２に抗して移動可能になっている。
【００５５】
したがって、スタンプユニット６２のスタンプ４０は、第１乃至第３の分割フレーム１乃至３を開いたとき、反転パス４７内に不用意に突出して、反転パス４７内の原稿に誤って読取済みのスタンプを押すようなことがない。また、スタンプ４０は、反転パス４７の反対側に接触して、反転パス４７内を汚すようなことがない。
【００５６】
また、突出防止機構６７は、自動原稿供給装置５９の機構を利用しているため、構造を簡単にすることができる。
【００５７】
（第３実施形態のスタンプユニット）
図１０におけるスタンプユニット６３は、図９のスタンプユニットにおける浮き防止ばね４２をプラテンガイドの延長片４１ａと支持部材５３との間に介在させた構成になっている。
【００５８】
スタンプユニット６３は、読取ガイド４３に設けられた支持部材５３に支持されたプランジャ４０ａと、プランジャ４０ａのスピンドル４０ｂに設けられたスタンプ４０と、突出防止機構６８とで構成されている。突出防止機構６８は、プラテンガイド４１と浮き防止ばね４２を利用して構成されている。プラテンガイド４１の延長片４１ａが、スピンドル４０ｂを貫通させて、支持部材５３とスピンドル４０ｂの鍔４０ｃとの間に位置している。
【００５９】
プラテンガイド４１（図１０（Ａ））は、第１乃至第３の分割フレーム１乃至３によって読取ガラス５０が閉じられているとき、読取ガラス５０と原稿との間に搬送可能なクリアランスを保持できるよう浮き防止ばね４２によって読取ガラス側に押圧されている。このとき、プラテンガイド４１の延長片４１ａは、鍔４０ｃから離れている。
【００６０】
プランジャ４０ａがＯＮになると、スピンドル４０ｂが反転パス４７側に移動して、スタンプ４０が実線の位置から破線の位置に移動し、反転パス４７内に突出して反転パス４７内にいる原稿に読取済みのスタンプを押す。プランジャ４０ａがＯＦＦになると、スピンドル４０ｂが自重によって下降し、スタンプ４０は、反転パス４７から引っ込む。なお、スタンプ４０の引っ込みを確実にするため、図８に示す圧縮ばね７１のような戻しばねを設けてあってもよい。
【００６１】
図３に示すように、第１乃至第３の分割フレーム１乃至３を回動して、読取ガラス５０と排出パス４５とを開くと、スタンプユニット６３（図１０（Ｂ））は、第３の分割フレーム３と一体に回動する。このとき、スタンプ４０が、第１乃至第３の分割フレーム１乃至３を開いたときの慣性や振動によって、反転パス４７内に突出しようとする。しかし、第１乃至第３の分割フレーム１乃至３を回動させたとき、プラテンガイド４１が、読取ガラス５０から離れて、浮き防止ばね４２に押されて読取ガイド４３から突出した位置に移動している。このため、プラテンガイド４１の延長片４１ａは、スピンドル４０ｂの鍔４０ｃに当接しているか、或いは接近しており、延長片４１ａがスタンプ４０の突出を阻止する。
【００６２】
以上のように、プラテンガイド４１は、第１乃至第３の分割フレーム１乃至３を開いたとき、浮き防止ばね４２によってスタンプ４０の移動を規制する位置に移動可能になっている。そして、プラテンガイド４１は、第１乃至第３の分割フレーム１乃至３を閉じたとき、固定部材である読取ガラス５０に当接して規制を解除する位置に浮き防止ばね４２に抗して移動可能になっている。
【００６３】
したがって、スタンプユニット６３のスタンプ４０は、第１乃至第３の分割フレーム１乃至３を開いたとき、反転パス４７内に不用意に突出して、反転パス４７内の原稿に誤って読取済みのスタンプを押すようなことがない。また、スタンプ４０は、反転パス４７の反対側に接触して、反転パス４７内を汚すようなことがない。
【００６４】
また、突出防止機構６８は、自動原稿供給装置５９の機構を利用しているため、構造を簡単にすることができる。
【００６５】
（第４実施形態のスタンプユニット）
図１１において、スタンプユニット６４は、プラテンガイド４１の延長片４１ａに支持されたプランジャ４０ａと、プランジャ４０ａのスピンドル４０ｂに設けられたスタンプ４０と、突出防止機構６９とで構成されている。突出防止機構６９は、プラテンガイド４１と浮き防止ばね４２を利用して構成されている。スタンプユニット６４は、プラテンガイド４１の延長片４１ａに設けられている。スピンドル４０ｂは延長片４１ａを貫通している。浮き防止ばね４２は、第３の分割フレーム３の固定部材とプラテンガイド４１との間に設けられている。なお、浮き防止ばね４２は、図８に示すように、プラテンガイド４１と読取ガイド４３との間に設けてもよい。
【００６６】
プラテンガイド４１は、第１乃至第３の分割フレームによって読取ガラス５０が閉じられているとき、読取ガラスと原稿との間に搬送可能なクリアランスを保持できるよう浮き防止ばね４２とスタンプユニット６４の自重とによって読取ガラス側に押圧されている。
【００６７】
プランジャ４０ａがＯＮになると、スピンドル４０ｂが反転パス４７側に移動して、スタンプ４０が実線の位置から破線の位置に移動し、反転パス４７内に突出して反転パス４７内にいる原稿に読取済みのスタンプを押す。プランジャ４０ａがＯＦＦになると、スピンドル４０ｂが自重によって下降し、スタンプ４０は、反転パス４７から引っ込む。なお、スタンプ４０の引っ込みを確実にするため、図８に示す圧縮ばね７１のような戻しばねを設けてあってもよい。
【００６８】
図３に示すように、第１乃至第３の分割フレーム１乃至３を回動して、読取ガラス５０と排出パス４５とを開くと、スタンプユニット６４（図１１（Ｂ））は、第３の分割フレーム３と一体に回動する。このとき、スタンプ４０は、第１乃至第３の分割フレーム１乃至３を開いたときの慣性や振動によって、移動して、反転パス４７内に突出しようとする。しかし、第１乃至第３の分割フレーム１乃至３を回動させたとき、プラテンガイド４１が、読取ガラス５０から離れて、浮き防止ばね４２に押されて読取ガイド４３から突出した位置に移動している。このため、スタンプユニット全体が、反転パス４７からスタンプ不可能な位置に遠ざかっており、スタンプ４０が図１１（Ｂ）の破線の位置から実線の位置に移動しても、反転パス４７内に突出するようなことがない。
【００６９】
したがって、スタンプユニット６４のスタンプ４０は、第１乃至第３の分割フレーム１乃至３を開いたとき、反転パス４７内に不用意に突出して、反転パス４７内の原稿に誤って読取済みのスタンプを押すようなことがない。また、スタンプ４０は、反転パス４７の反対側に接触して、反転パス４７内を汚すようなことがない。
【００７０】
また、突出防止機構６９は、自動原稿供給装置５９の機構を利用しているため、構造を簡単にすることができる。さらに、スタンプユニット６４全体をプラテンガイド４１に設けるだけで済むので、組み立てが容易である。
【００７１】
以上の自動原稿供給装置は、排出パス４５と読取ガラス５０の上面とを開いたとき、スタンプが原稿に読取済みの印を誤って押さないようにしている。このため、第１乃至第３の分割フレームは、一体に開閉可能な構成にして、排出パス４５と読取ガラス５０の上面とを開くようにしてもよい。あるいは、第１乃至第３の分割フレームの内、第２の分割フレームが、第１の分割フレームと第３の分割フレームとのいずれか一方と一体になって、開くようになっていてもよい。したがって、第１乃至第３の分割フレームは、請求項における開閉フレームの一例である。
【図面の簡単な説明】
【００７２】
【図１】本発明の実施形態における、自動原稿供給装置の原稿搬送方向に沿った断面図である。
【図２】図１の状態から、第１の分割フレームと第２の分割フレームとを開いた図である。
【図３】図１の状態から、第１の分割フレーム、第２の分割フレーム及び第３の分割フレームを開いた図である。
【図４】第２の分割フレームと第３の分割フレームとの連結部分を示す図である。
【図５】図１の自動原稿供給装置の上部を示す斜視図である。
【図６】第５の状態から、第１の分割フレーム、第２の分割フレーム及び第３の分割フレームを開いた図である。
【図７】本発明の実施形態における画像形成装置のシート搬送方向に沿った断面図である。
【図８】第１実施形態のスタンプユニットの断面図である。（Ａ）は、読取ガラスと排出パスが閉じられているときのスタンプユニットの状態図である。（Ｂ）は、読取ガラスと排出パスが開かれたときのスタンプユニットの状態図である。
【図９】第２実施形態のスタンプユニットの断面図である。（Ａ）は、読取ガラスと排出パスが閉じられているときのスタンプユニットの状態図である。（Ｂ）は、読取ガラスと排出パスが開かれたときのスタンプユニットの状態図である。
【図１０】第３実施形態のスタンプユニットの断面図である。（Ａ）は、読取ガラスと排出パスが閉じられているときのスタンプユニットの状態図である。（Ｂ）は、読取ガラスと排出パスが開かれたときのスタンプユニットの状態図である。
【図１１】第４実施形態のスタンプユニットの断面図である。（Ａ）は、読取ガラスと排出パスが閉じられているときのスタンプユニットの状態図である。（Ｂ）は、読取ガラスと排出パスが開かれたときのスタンプユニットの状態図である。
【符号の説明】
【００７３】
Ｐ      シート
Ｄ      原稿
１      第１の分割フレーム（第１のフレーム）
２      第２の分割フレーム（第２のフレーム）
３      第３の分割フレーム
４      リンク
１１      回転軸
１２      回動支点
３０      原稿読取部
３９      ガイド機構
４０      スタンプ
４０ａ    プランジャ
４０ｂ    スピンドル
４０ｃ    鍔
４１      プラテンガイド（移動部材、原稿押さえ部材）
４１ａ    延長片
４２      浮き防止ばね
４３      読取ガイド
４４      給送パス
４５      排出パス
４６      検知センサ
４７      反転パス
４８      案内部材
５０      読取ガラス（固定部材）
５２      本体フレーム
５９      自動原稿供給装置
６１乃至６４      スタンプユニット
６６乃至６９      突出防止機構（突出防止手段）
７１      圧縮ばね
１００      画像形成装置
１０１      装置本体
１０２      画像読取装置
１２２      画像形成部
【図１】
2010011399.tif 000003
【図２】
2010011399.tif 000004
【図３】
2010011399.tif 000005
【図４】
2010011399.tif 000006
【図５】
2010011399.tif 000007
【図６】
2010011399.tif 000008
【図７】
2010011399.tif 000009
【図８】
2010011399.tif 000010
【図９】
2010011399.tif 000011
【図１０】
2010011399.tif 000012
【図１１】
2010011399.tif 000013